(57)【要約】手摺を設置すべき傾斜面が屈曲し傾斜角度が変化するような複雑な形状を有している傾斜面に対しても設置現場で簡単に手摺を設置するのに最適な手摺連結具を提供する。手摺連結具１は、支持柱５と連結される支持柱用接続体１０と、手摺部材７を保持する手摺保持部３１ａ、３２ａを有する手摺保持体３１、３２と、支持柱用接続体１０に取着され、摺保持体３１、３２を取り付けるための取付部２３、３４が配設されたエルボ本体２０とを備え、手摺保持体３１、３２は、取付部２３、３４に対して所定の傾き角度を有して回動可能に取着され、それにより手摺保持体３１、３２が取付部２３、３４を中心に首振り運動を行うようにされている。
2003035997.tif 000002
【特許請求の範囲】
【請求項１】
支持柱と連結される支持柱用接続体と、
手摺部材を保持する手摺保持部を有する手摺保持体と、
前記支持柱用接続体に取着され、前記摺保持体を取り付けるための取付部が配設されたエルボ本体と、
を備え、
前記手摺保持体は、前記取付部に対して所定の傾き角度を有して回動可能に取着され、それにより前記手摺保持体が前記取付部を中心に首振り運動を行うようにされていることを特徴とする手摺連結具。
【請求項２】
請求の範囲第１項に記載の手摺連結具において、
前記取付部は前記エルボ本体に対して斜設されていることを特徴とする手摺連結具。
【請求項３】
請求の範囲第１項又は第２項に記載の手摺連結具において、
前記エルボ本体は、前記支持柱用接続体に回動可能に取着されていることを特徴とする手摺連結具。
【請求項４】
請求の範囲第１項〜第３項のいずれか１項に記載の手摺連結具において、
前記エルボ本体は、略半球形状をした第一の半球と第二の半球の開口面を合わせて形成される略球状体を有し、前記第一の半球と前記第二の半球の表面にはそれぞれ互いに対向する位置に前記取付部が配置されると共に、前記第一の半球と前記第二の半球は相対的に同軸的に回動可能に形成されていることを特徴とする手摺連結具。
【請求項５】
請求の範囲第４項に記載の手摺連結具において、
前記取付部は、前記第一の半球及び第二の半球の開口面に対してそれぞれ高さ方向に所定の傾き角度を有して前記エルボ本体に斜設されていることを特徴とする手摺連結具。
【請求項６】
請求の範囲第５項に記載の手摺連結具において、
前記傾き角度は、５〜２５°であることを特徴とする手摺連結具。
【請求項７】
請求の範囲第４項〜第６項のいずれか１項に記載の手摺連結具において、
前記第一の半球と前記第二の半球の回転軸が前記支持柱用接続体の中心軸に対して直交又は傾斜していることを特徴とする手摺連結具。
【請求項８】
請求の範囲第６項又は第７項に記載の手摺連結具において、
前記第一の半球及び第二の半球は、前記支持柱用接続体に立設された連結部に相対的に回動可能に取り付けられていることを特徴とする手摺連結具。
【請求項９】
請求の範囲第６項〜第８項のいずれか１項に記載の手摺連結具において、
前記エルボ本体に配設された前記取付部の前記傾き角度と前記手摺保持体の前記取付部に対する取り付け角度とが同一であることを特徴とする手摺連結具。
【発明の詳細な説明】
技術分野
本発明は、手摺連結具に関し、さらに詳しくは、屈曲した傾斜面に手摺を設置する場合に最適な手摺連結具に関する。
技術背景
従来、傾斜面に手摺を設置する場合には以下の手順により行われていた。すなわち、初めに手摺を設置すべき場所の測量を行って傾斜面の傾斜角度や支持柱を設置する場所を決定する。そして、測量結果に基づき支持柱に設置場所の傾斜角度に合わせて溶接等の手段により手摺継手を取着して支持部材の準備を行う。支持部材の準備が終ったら手摺部材と共に設置現場に運び、それを現地で組み立てて設置していた。また、設置箇所が少ない等比較的簡単な現場である場合には現地で傾斜角度を測定しながら支持柱と手摺の接合角度を決定してその場で組み立てることも行われていた。
しかし、設置現場の傾斜角度に応じてその都度手摺材を用意するのでは作業が煩雑であるという問題があった。また、手摺を設置すべき傾斜面が途中でカーブしていたり傾斜角度が変わったりして複雑な形状を有していると支持部材の準備も煩雑で設置にも手間がかかるという問題があった。この場合、設置場所に合わせて部材を準備する必要があることからオーダーメイドになり非常にコスト高になるという問題があった。
また、設置場所の傾斜や屈曲の程度に合わせて手摺の角度を現場で簡単に設定して組み立て可能な手摺用連結具は未だ提供されていない。
そこで、本発明は上記の問題点に鑑みてなされたもので、手摺を設置すべき傾斜面がカーブしていたり途中から傾斜角度が変わったりして複雑な形状の傾斜面に対しても設置現場において簡単に手摺を設置することができる手摺連結具を提供することを目的とする。
発明の開示
上記課題を解決するために請求の範囲第１項に記載の発明は、支持柱と連結される支持柱用接続体と、手摺部材を保持する手摺保持部を有する手摺保持体と、支持柱用接続体に取着され、摺保持体を取り付けるための取付部が配設されたエルボ本体とを備え、手摺保持体は、取付部に対して所定の傾き角度を有して回動可能に取着され、それにより手摺保持体が取付部を中心に首振り運動を行うようにされていることを特徴とする手摺連結具を提供する。
上記課題を解決するために請求の範囲第２項に記載の発明は、請求の範囲第１項に記載の手摺連結具において、取付部はエルボ本体に対して斜設されていることを特徴とする。
上記課題を解決するために請求の範囲第３項に記載の発明は、請求の範囲第１項又は第２項に記載の手摺連結具において、エルボ本体は、支持柱用接続体に回動可能に取着されていることを特徴とする。
上記課題を解決するために請求の範囲第４項に記載の発明は、請求の範囲第１項〜第３項のいずれか１項に記載の手摺連結具において、エルボ本体は、略半球形状をした第一の半球と第二の半球の開口面を合わせて形成される略球状体を有し、第一の半球と第二の半球の表面にはそれぞれ互いに対向する位置に取付部が配置されると共に、第一の半球と第二の半球は相対的に同軸的に回動可能に形成されていることを特徴とする。
上記課題を解決するために請求の範囲第５項に記載の発明は、請求の範囲第４項に記載の手摺連結具において、取付部は、第一の半球及び第二の半球の開口面に対してそれぞれ高さ方向に所定の傾き角度を有してエルボ本体に斜設されていることを特徴とする。
上記課題を解決するために請求の範囲第６項に記載の発明は、請求の範囲第５項に記載の手摺連結具において、傾き角度は、５〜２５°であることを特徴とする。
上記課題を解決するために請求の範囲第７項に記載の発明は、請求の範囲第４項〜第６項のいずれか１項に記載の手摺連結具において、第一の半球と第二の半球の回転軸が支持柱用接続体の中心軸に対して直交又は傾斜していることを特徴とする。
上記課題を解決するために請求の範囲第８項に記載の発明は、請求の範囲第６項又は第７項に記載の手摺連結具において、第一の半球及び第二の半球は、支持柱用接続体に立設された連結部に相対的に回動可能に取り付けられていることを特徴とする。
上記課題を解決するために請求の範囲第９項に記載の発明は、請求の範囲第６項〜第８項のいずれか１項に記載の手摺連結具において、エルボ本体に配設された取付部の傾き角度と手摺保持体の取付部に対する取り付け角度とが同一であることを特徴とする。
発明を実施するための最良の形態
以下、本発明に係る手摺連結具の一実施形態について図面を参照しつつ説明する。第１図は本発明に係る手摺連結具の一実施形態の分解斜視図である。
まず、第１図に示された手摺連結具１は、第１６図に示すような屈曲して傾斜する傾斜面３に立設される支持柱５と連結される支持柱接続部１０ａを有する支持柱用接続体１０と、第一の半球２１と第二の半球２２の開口部同士を互いに対向させた状態で合わせられて形成される略球体を有するエルボ本体２０と、手摺部材７を保持するための手摺保持部３１ａ、３２ａを有する手摺保持体３１、３２とを備えて構成されている。
エルボ本体２０を形成する第一の半球２１には、第５図に示すように、手摺保持体３１を取り付けるためにその周囲にネジ溝が形成されたボルト状の取付部２３が配設されており、取付部２３は、第２図及び第３図に示すように、第一の半球２１の開口面に対して所定の傾き角度αを有して第一の半球２１に高さ方向へ斜めに突き出すように斜設されている。この取付部２３に略円錐台形状をしたナット３７を介して手摺保持体３１が取着されるようになっている。手摺保持体３１は、図示しないワッシャによりある程度の力を加えることによって僅かに可動可能に取着されている。本実施形態における第一の半球２１の開口面と取付部２３との傾き角度αは第一の半球２１の開口面に対して略２２°とされている。尚、傾き角度αはこれに限定されるものではなく任意に選択可能であるが、後述するように手摺を設置すべき傾斜面の傾斜角度に鑑み５〜２５°の範囲であることが好ましい。
また、第一の半球２１の頂部にはボルト４１が挿通される取付孔２１ａが穿設されている。
一方、第５図に示すように、エルボ本体２０を形成する第二の半球２２にも同様に手摺保持体３２を取り付けるための周囲にネジ溝が形成されたボルト状の取付部２４が配設されており、取付部２４は、第２図及び第３図に示すように、第二の半球２２の開口面に対して所定の傾き角度α’を有して第二の半球２２に対し高さ方向へ斜めに突き出すように斜設されている。この取付部２４に円錐台形状をしたナット３８を介して手摺保持体３２が取着されるようになっている。本実施形態における取付部２４の傾き角度α’は取付部２３の場合と同様に第二の半球２２の開口面に対して略２２°とされ、取付部２３と取付部２４は同一直線Ｌ１上に位置するように互いに対向して配置されている。尚、手摺保持体３２の取付部２４の傾き角度α’も取付部２３と同様にこれに限定されるものではなく任意に選択可能であり５〜２５°の範囲であることが好ましい。
第二の半球２２の頂部には支持柱用接続体１０の先端部が挿入される取付孔２２ａが穿設されており、第一の半球２１と第二の半球２２はそれぞれの開口面同士を互いに対向させた状態で合わせることにより略球体を有するエルボ本体２０が形成され、第一の半球２１と第二の半球２２は、第４図に示すように、互いに相対的に同軸的に回動可能とされている。第一の半球２１と第二の半球２２は、図示しないワッシャによりある程度の力を加えることによって僅かに可動可能に取着されている。
第一の半球２１に取り付けられる手摺保持体３１は、第６図に示すように、略円筒形状を有し、内部に手摺部材７を挿入して保持する手摺保持部３１ａが形成されると共に、挿入された手摺部材７を固定するための図示しない止めネジが挿通されるネジ孔３５が穿設されている。また、手摺部材７が挿入される手摺保持部３１ａ側とは反対側の端面側には第一の半球２１に設けられた取付部２３を受け入れるための挿入孔３３が手摺保持体３１の円筒中心を通る中心線Ｌ２に対して所定の傾き角度βを有して穿設されている。手摺保持体３１は取付部２３を挿入孔３３に挿入した状態で手摺保持部３１ａの内側から円錐台形状をしたナット３７で締着することにより手摺保持体３１が取付部２３を中心として回動するようにして取り付けられている。手摺保持体３１が回動すると手摺保持部３１ａが傾き角度βだけ傾いているので手摺保持部３１ａはその回動に伴ってその端部が円運動をする首振り運動を行う。これにより手摺保持部３１ａは取付部２３に対して−β（第２図に示す位置）から＋β（第３図に示す位置）の範囲で連続的に可動するため手摺部材７をその範囲内で任意の角度に固定することが可能となる。
本実施形態における挿入孔３３の傾き角度βは第一の半球２１に対する取付部２３の傾き角度αと同じで略２２°とされている。このように挿入孔３３の傾き角度βと取付部２３の傾き角度αとを同じに設定することにより傾斜面３に対して鉛直に立設された支持柱５に手摺連結具１を取り付けた場合に手摺部材７を水平に設置することができる。具体的には、本実施形態の場合は手摺部材７をα−β（２２°−２２°＝０°水平）からα＋β（２２°＋２２°＝４４°）の範囲で設置することが可能となる。尚、挿入孔３３の傾き角度はこれに限定されるものではなく任意に選択可能であるが、実際の設置場所における傾斜面３の傾斜角度を考慮すれば５〜２５°の範囲に設定することにより手摺部材７接続角度を水平（０°）から５０°の傾斜の範囲で設置することが可能となる。従って、挿入孔３３の傾き角度を５〜２５°の範囲で設定すれば実用的な範囲は十分にカバーすることができる。
一方、第二の半球２２に取り付けられる手摺保持体３２も、上述した手摺保持体３１と同様に略円筒形状を有しており、その構造及び手摺保持体３２との関係については手摺保持体３１と同様であるため詳しい説明は省略するが手摺保持部３２ａは取付部２４に対し傾き角度β’だけ傾いているので手摺保持部３２ａが回動すると手摺保持部３１ａは取付部２４を中心として首振り運動を行うようにされている。
尚、第一の半球２１及び第二の半球２２に対する取付部２３、２４の斜設方向は上述したような高さ方向に傾いたものに限らず、水平方向に傾けることもできる。また、取付部２３、２４を斜設せず、第一の半球２１及び第二の半球２２の開口面と水平且つその接線方向に対して垂直に伸びるようにして取着してもよい。この場合でも、手摺保持体３１、３２は、取付部２３、２４を中心として回動可能とされているので支持柱５に対して手摺部材７を傾斜させて設置することが可能となる。
但し、手摺保持体３１、３２の傾斜可能範囲は挿入孔３３、３４の傾き角度のみに依存するので取付部２３、２４を斜設した場合よりも傾き角度は狭くなる。
支持柱用接続体１０は、第７図に示すように、先端部が窄まった略円筒形状を有し、先端部は第二の半球２２に穿設された取付孔２２ａに挿入されるようになっている。支持柱用接続体１０の上部側の頂面には第一の半球２１と第二の半球２２とにより形成される略球形状のエルボ本体２０の中心を縦方向に貫通するボルト４１が挿入される挿入孔１１が穿設されており、下部側には支持柱５と連結される空間である支持柱接続部１０ａが形成されている。エルボ本体２０内を貫通させたボルト４１に支持柱接続部１０ａの内側からワッシャ４５を介在させてナット４３で固定することにより支持柱用接続体１０にエルボ本体２０が取着される。これにより第一の半球２１と第二の半球２２はボルト４１を中心軸として相互に回動可能とされ、従って、取付部２３、２４はボルト４１の軸線方向、すなわち支持柱用接続体１０の中心を縦貫する中心線Ｚを軸として回動可能とされている。支持柱用接続体１０の側面には支持柱接続部１０ａに挿入された支持柱５を固定するための図示しないビスが挿通される挿通孔１５が穿設されている。
取付部２３は第一の半球２１に直接取着するものの他、第１７図に示すように、第一の半球２１に対して相対的に回動可能なリング部材２７を設け、このリング部材２７に取付部２３を斜設することも可能である。そして、第二の半球２２側にも同様にしてリング部材２８を設けてこれに取付部２４を斜設すると共に、リング部材２７とリング部材２８とを相対的に同軸的に回動可能に取り付けることによりエルボ本体２０を形成することもできる。
ところで、第１６図に示すように、両端に位置して立設された支持柱５ａ、５ｂに取着すべき手摺連結具１ａ、１ｂは少なくとも１つの取付部２３、２４及び手摺保持体３１、３２を備えていればよい。すなわち、一番下部側に位置する支持柱５ａに取着する手摺連結具１ａは第二の半球２２に取付部２４を有さず、手摺保持体３２が取着されていない構成とされており、一番上部側に位置する支持柱５ｂに取着する手摺連結具１ｂには第一の半球２１に取付部２３を有さず、手摺保持体３１が取着されていない構成とされている。
一方、第８図に示した手摺連結具１は、第一の半球２１と第二の半球２２の回転軸Ｒが支持柱用接続体１０の中心軸Ｚに対して傾斜するようにして合わせられてエルボ本体２０が形成されている。すなわち、開口面が斜めにカットされた形状を有する第二の半球２２の下部側が支持柱用接続体１０にボルト４２により取着され、この第二の半球２２の開口面と第一の半球２１の開口面とを回動可能に回転軸Ｒ方向からボルト４１を挿通してエルボ本体２０が形成されている。エルボ本体２０は、第二の半球２２の開口面と第一の半球２１の開口面とを嵌め合わせにより回動可能としてもよい。その回転面が斜めに傾いているので第一の半球２１側に取着された手摺保持体３２は第１図に示した手摺取付具１の手摺保持体３２に比べてより広い範囲で可動することができる。尚、第二の半球２２は支持柱用接続体１０に固定させてもよいし水平方向に回動可能としてもよい。
また、第９図に示した手摺取付具１は、第一の半球２１が支持柱用接続体１０に固定された第二の半球２２に、支持柱用接続体１０の中心軸Ｚに対して直交する回転軸Ｒを中心に回動可能に嵌め合わせられてエルボ本体２０が形成されたものである。すなわち、第一の半球２１の外縁部に突出するように突起部を設けると共に、第二の半球２２の外縁部にはその突起部にと嵌り合う被係合部を設け、第一の半球２１の突起部を第二の半球２２内に設けた被係合部に押し込むようにして嵌め合せる図示しない係合構造を有し、それにより第一の半球２１が回動するようになっている。このように構成することにより図示されているように、取付部２４も第一の半球２１が回動することによって首振り運動を行なうこととなるのでこの首振り運動とあいまって手摺保持体３２の可動範囲が手摺保持体３１よりも広範なものとなる。
さらに、第１０図に示す手摺取付具１は、第一の半球２１及び第二の半球２２が支持柱用接続体１０に立設された連結部１７に相対的に回動可能に取り付けられて形成されたものである。連結部１７の両側面部には、第一の半球２１及び第二の半球２２の開口面が合わせられると共に、連結部１７の両面から突出するように係合突起部を設け、その係合突起部に第一の半球２１及び第二の半球２２内に設けた被係合部を押し込むようにして嵌め合せる図示しない係合構造を有し、該係合構造によって第一の半球２１及び第二の半球２２がそれぞれ回動するようになっている。尚、第１１図に示したのは、連結部１７が支持柱用接続体１０から斜めに立設されたタイプのものである。
手摺保持体３１、３２の手摺保持部３１ａ、３２ａへの手摺部材７の取り付け方法は特に限定されるものではなく、例えば、第１２図〜第１５図に示すような方法が適用できる。すなわち、第１２図に示すのは、手摺部材７の表面に接着剤７ａを塗布して手摺保持部３１ａ内に挿入して固定するものである。手摺部材７が樹脂、木製、軽金属の場合に有効である。また、第１３図に示すのは、手摺保持部３１ａの端面と手摺部材７の端面同士を密着させて溶接により固定するものである。
さらに、第１４図に示すのは、手摺保持部３１ａ内に挿入された手摺７をネジ孔３５から止めネジ３５ａにより固定するもの、および手摺部材７をビス３５ｂにより固定するものである。尚、第１４図は、固定方法について例示したものであり、止めネジ３５ａとビス３５ｂの両方を用いなければならないというものではない。また、第１５図に示すのは、手摺部材７の先端部に補助部材７ｂを配設し、その補助部材７ｂを手摺保持部３１ａ内に挿入して第１２図〜第１３図の各種の方法により固定するものである。尚、手摺保持体３１、３２自体を手摺部材７とすることも可能である。
次に、本発明に係る手摺連結具１の取り付け方法について説明する。まず、第１６図に示された手摺を設置すべき傾斜面３は、上り勾配で且つ左方向にカーブすると共に、その途中から傾斜角度が変わった複雑な形状を有している。この傾斜面３の縁部近傍の所定箇所に支持柱５、５ａ、５ｂを鉛直に立設する。そして、手摺連結具１ａの支持柱用接続体１０に設けられた支持柱接続部１０ａに支持柱５ａの先端を挿入するようにして配置し、図示しないビスを挿通孔１５に挿通してしっかりと固定する。手摺連結具１ａの手摺保持部３１ａに支持柱５、５ａ、５ｂのそれぞれの設置間隔に応じて長さが調整された手摺部材７の一方側の端部を挿入し、図示しないビスをネジ孔３５に挿通してしっかりと固定する。手摺部材７の反対側の端部を別の手摺連結具１の手摺保持部３２ａに挿入すると共に下から２番目の支持柱５の先端部を支持柱接続部１０ａに挿入する。そして、下から２番目の支持柱５に取着された手摺連結具１の手摺保持体３２を取付部２４を中心として回動させて手摺部材７を所望の傾斜角に調整する。このとき、手摺連結具１ａ側の手摺保持体３１も取付部２３を中心に回動すると共に第一の半球２１が第二の半球２２に対して相対的に回動することにより手摺部材７の傾斜角度の調整が行われる。そして、設置すべき適当な傾斜角度が決まったら下から２番目の支持柱５に取着された手摺連結具１の手摺保持体３２のビス孔３６に図示しないビスを挿通して手摺部材７と手摺保持体３２とをしっかりと固定すると共に、支持柱用接続体１０の挿通孔１５に図示しないビスを挿通して支持柱用接続体１０と支持柱５とをしっかりと固定する。
次に、下から２番目に取り着けられた手摺連結具１の手摺保持体３１の手摺保持部３１ａに別の手摺部材７の端部を挿入し、図示しないビスをネジ孔３５に挿通して手摺保持体３１と手摺部材７をしっかりと固定する。この手摺部材７の反対側の端部を別の手摺連結具１の手摺保持部３２ａに挿入すると共に下から３番目の支持柱５の先端部を支持柱接続部１０ａに挿入する。そして、下から３番目の手摺連結具１の手摺保持体３２を取付部２４を中心として回動させて手摺部材７を所望の傾斜角に調整する。このとき、下から２番目の手摺連結具１側の手摺保持体３１も取付部２３を中心に回動すると共に第一の半球２１が第二の半球２２に対して相対的に回動することにより手摺部材７の傾斜角度の調整が行われる。設置すべき適当な傾斜角度が決まったら下から３番目の支持柱５に取着された手摺連結具１の手摺保持体３２のビス孔３６に図示しないビスを挿通して手摺部材７と手摺保持体３２とをしっかりと固定すると共に、支持柱用接続体１０の挿通孔１５に図示しないビスを挿通して支持柱用接続体１０と支持柱５とをしっかりと固定する。
上記の方法を順次繰り返すことにより屈曲した傾斜面３に容易に手摺を設置することができる。
産業上の利用可能性
本発明に係る手摺連結具は、支持柱と連結される支持柱用接続体と、手摺部材を保持する手摺保持部を有する手摺保持体と、支持柱用接続体に取着され、摺保持体を取り付けるための取付部が配設されたエルボ本体とを備え、手摺保持体は、取付部に対して所定の傾き角度を有して回動可能に取着され、それにより手摺保持体が取付部を中心に首振り運動を行うようにされているので、手摺を設置すべき傾斜面がカーブすると共に途中から傾斜角度が変わるような複雑な形状を有している状態の傾斜面に対しても設置現場で簡単に手摺を設置することが可能となる。そのため、設置現場の傾斜角度に応じてその都度手摺材を用意する必要がないので作業性もよくしかも従来のものに比べて設置コストも安くなるという効果がある。
【図面の簡単な説明】
第１図は、本発明に係る手摺連結具の一実施形態の分解斜視図である。
第２図は、第１図に示した手摺連結具の側面断面図である。
第３図は、第２図と異なる状態を示す側面断面図である。
第４図は、手摺保持体の移動を示す平面図である。
第５図は、第一の半球及び第二の半球の側面図である。
第６図は、手摺保持体の側面図である。
第７図は、支持柱用接続体の正面図である。
第８図は、第１図とは異なる実施形態の手摺連結具の側面図である。
第９図は、さらに別の実施形態における手摺連結具の側面図である。
第１０図は、連結部を備えた手摺取付具の側面図である。
第１１図は、連結部が傾斜した手摺取付具の側面図である。
第１２図は、接着剤による手摺保持部への手摺部材の取り付けを示す平面図である。
第１３図は、溶接による手摺保持部への手摺部材の取り付けを示す平面図である。
第１４図は、止めネジ又はビスによる手摺保持部への手摺部材の取り付けを示す平面図である。
第１５図は、補助部材にを介した手摺保持部への手摺部材の取り付けを示す平面図である。
第１６図は、本発明に係る手摺連結具を用いて傾斜面に手摺を設置した状態を示す斜視図である。
第１７図は、他の実施形態のエルボ本体と取付部の構成を示す分解斜視図である。
【図１】
2003035997.tif 000003
【図２】
2003035997.tif 000004
【図３】
2003035997.tif 000005
【図４】
2003035997.tif 000006
【図５】
2003035997.tif 000007
【図６】
2003035997.tif 000008
【図７】
2003035997.tif 000009
【図８】
2003035997.tif 000010
【図９】
2003035997.tif 000011
【図１０】
2003035997.tif 000012
【図１１】
2003035997.tif 000013
【図１２】
2003035997.tif 000014
【図１３】
2003035997.tif 000015
【図１４】
2003035997.tif 000016
【図１５】
2003035997.tif 000017
【図１６】
2003035997.tif 000018
【図１７】
2003035997.tif 000019
【手続補正書】
【提出日】平成14年6月10日(2002.6.10)
【手続補正１】
【補正対象書類名】明細書
【補正対象項目名】請求項１
【補正方法】変更
【補正の内容】
【請求項１】
支持柱と連結される支持柱用接続体と、
手摺部材を保持する手摺保持部を有する手摺保持体と、
前記支持柱用接続体に取着され、前記手摺保持体を取り付けるための取付部が配設されたエルボ本体と、
を備え、
前記手摺保持体は、前記取付部に当該手摺保持体の中心を通る中心線に対して所定の傾き角度を有した状態で回動可能に取着され、当該手摺保持体が前記取付部を中心に回動するのに伴ってその端部が円運動を行うことにより、前記手摺保持体は前期取付部を中心に首振り運動をするように構成されていることを特徴とする手摺連結具。
【手続補正２】
【補正対象書類名】明細書
【補正対象項目名】０００２
【補正方法】変更
【補正の内容】
【０００２】
ことを目的とする。
発明の開示
上記課題を解決するために請求の範囲第１項に記載の発明は、支持柱と連結される支持柱用接続体と、手摺部材を保持する手摺保持部を有する手摺保持体と、支持柱用接続体に取着され、手摺保持体を取り付けるための取付部が配設されたエルボ本体とを備え、手摺保持体は、取付部に手摺保持体の中心を通る中心線に対して所定の傾き角度を有した状態で回動可能に取着され、手摺保持体が取付部を中心に回動するのに伴ってその端部が円運動を行うことにより、手摺保持体は取付部を中心に首振り運動をするように構成されていることを特徴とする手摺連結具を提供する。
上記課題を解決するために請求の範囲第２項に記載の発明は、請求の範囲第１項に記載の手摺連結具において、取付部はエルボ本体に対して斜設されていることを特徴とする。
上記課題を解決するために請求の範囲第３項に記載の発明は、請求の範囲第１項又は第２項に記載の手摺連結具において、エルボ本体は、支持柱用接続体に回動可能に取着されていることを特徴とする。
上記課題を解決するために請求の範囲第４項に記載の発明は、請求の範囲第１項〜第３項のいずれか１項に記載の手摺連結具において、エルボ本体は、略半球形状をした第一の半球と第二の半球の開口面を合わせて形成される略球状体を有し、第一の半球と第二の半球の表面にはそれぞれ互いに対向する位置に取付部が配置されると共に、第一の半球と第二の半球は相対的に同軸的に回動可能に形成されていることを特徴とする。
上記課題を解決するために請求の範囲第５項に記載の発明は、請求の範囲第４項に記載の手摺連結具において、取付部は、第一の半球及び第二の半球の開口面に対してそれぞれ高さ方向に所定の傾き角度を有してエルボ本体に斜設されていることを特徴とする。
上記課題を解決するために請求の範囲第６項に記載の発明は、請求の範囲第５項




【国際調査報告】
2003035997.tif 000020
2003035997.tif 000021
2003035997.tif 000022